(57)【要約】【課題】操作部の操作性を向上させるとともにマイコンに占めるポート数を低減できる再生装置付テレビ受像機を提供する。【解決手段】再生装置付テレビ受像機１０００に、操作信号を出力する操作キーと、制御する装置を選択する選択信号を出力するＳＥＬＥＣＴキーとを備える操作部１と、操作部１から入力される操作信号に基づいてテレビ受像装置１００とＶＣＲ装置２００とＤＶＤ再生装置３００とを制御するテレビ／ＶＣＲ制御部２及びＤＶＤ制御部３と、を備え、テレビ／ＶＣＲ制御部２は、ＳＥＬＥＣＴキーにより入力される選択信号に基づいて制御する装置を判断し、操作信号が入力された場合に、判断された装置を制御するための制御信号を当該装置に出力する。【選択図】図１
2007049399.tif 000002
【特許請求の範囲】
【請求項１】
テレビ受像装置と、ＶＣＲ装置と、ＤＶＤ再生装置とが一体型に構成されてなる再生装置付テレビ受像機において、
ユーザの操作に応じて操作信号を出力する操作キーを備える操作部と、
前記操作部から入力される操作信号を受け付けて、当該操作信号に基づいて前記テレビ受像装置と前記ＶＣＲ装置と前記ＤＶＤ再生装置とを制御する制御部と、を備え、
前記操作部は、
ユーザの操作に応じて、前記テレビ受像装置、前記ＶＣＲ装置、前記ＤＶＤ再生装置の中から、前記操作キーにより入力される操作信号に基づいて前記制御部が制御する装置を選択する選択信号を出力する選択キーを備え、
前記制御部は、
前記選択キーにより入力される選択信号を受け付けて、当該選択信号に基づいて制御する装置を判断する判断手段と、
一の操作キーの操作信号が入力された場合に、前記判断手段により判断された装置を制御するための制御信号を当該装置に出力する制御信号出力手段と、
を備え、
前記判断手段は、前記選択キーの押下回数に基づいて、前記操作キーにより入力される操作信号に基づいて制御する装置を判断することを特徴とする再生装置付テレビ受像機。
【請求項２】
テレビ受像装置と、第１記録媒体再生装置と、第２記録媒体再生装置とが一体型に構成されてなる再生装置付テレビ受像機において、
ユーザの操作に応じて操作信号を出力する操作キーを備える操作部と、
前記操作部から入力される操作信号を受け付けて、当該操作信号に基づいて前記テレビ受像装置と前記第１記録媒体再生装置と前記第２記録媒体再生装置とを制御する制御部と、を備え、
前記操作部は、
ユーザの操作に応じて、前記テレビ受像装置、前記第１記録媒体装置、前記第２記録媒体再生装置の中から、前記操作キーにより入力される操作信号に基づいて前記制御部が制御する装置を選択する選択信号を出力する選択キーを備え、
前記制御部は、
前記選択キーにより入力される選択信号を受け付けて、当該選択信号に基づいて制御する装置を判断する判断手段と、
一の操作キーの操作信号が入力された場合に、前記判断手段により判断された装置を制御するための制御信号を当該装置に出力する制御信号出力手段と、
を備えることを特徴とする再生装置付テレビ受像機。
【請求項３】
テレビ受像装置と、ＶＣＲ装置と、ＤＶＤ再生装置とが一体型に構成されてなる再生装置付テレビ受像機において、
ユーザの操作に応じて操作信号を出力する操作キーを備える操作部と、
前記操作部から入力される操作信号を受け付けて、当該操作信号に基づいて前記テレビ受像装置と前記ＶＣＲ装置と前記ＤＶＤ再生装置とを制御する制御部と、を備え、
前記操作部は、
ユーザの操作に応じて、前記テレビ受像装置、前記ＶＣＲ装置、前記ＤＶＤ再生装置の中から、前記操作キーにより入力される操作信号に基づいて前記制御部が制御する装置を選択する選択信号を出力する選択キーを備え、
前記制御部は、
前記選択キーにより入力される選択信号を受け付けて、当該選択信号に基づいて制御する装置を判断する判断手段と、
一の操作キーの操作信号が入力された場合に、前記判断手段により判断された装置を制
御するための制御信号を当該装置に出力する制御信号出力手段と、
を備えることを特徴とする再生装置付テレビ受像機。
【請求項４】
前記判断手段は、前記選択キーの押下回数に基づいて、前記操作キーにより入力される操作信号に基づいて制御する装置を判断することを特徴とする請求項２又は３に記載の再生装置付テレビ受像機。
【請求項５】
テレビ受像装置と、ＶＣＲ装置と、ＤＶＤ再生装置とが一体型に構成されてなる再生装置付テレビ受像機において、
ユーザの操作に応じて操作信号を出力する操作キーを備える操作部と、
前記操作部から入力される操作信号を受け付けて、当該操作信号に基づいて前記テレビ受像装置と前記ＶＣＲ装置と前記ＤＶＤ再生装置とを制御する制御部と、を備え、
前記制御部は、
前記テレビ受像装置、前記ＶＣＲ装置、前記ＤＶＤ再生装置の中から、前記操作キーにより入力される操作信号の長さに基づいて制御する装置を判断する判断手段と、
前記操作キーにより入力される操作信号に基づいて、前記判断手段により判断された装置を制御するための制御信号を当該装置に出力する制御信号出力手段と、
を備えることを特徴とする再生装置付テレビ受像機。
【発明の詳細な説明】
【技術分野】
【０００１】
本発明は、再生装置付テレビ受像機に関する。
【背景技術】
【０００２】
従来、ＤＶＤ再生装置とＶＣＲ装置とを一体型に構成したＤＶＤ／ＶＣＲ一体型装置やＣＤ再生装置とテープレコーダとを一体型に構成したＣＤプレーヤ付テープレコーダ等、複数の装置を一体型に構成した一体型装置が知られている。そして、これらの一体型装置を操作するための操作部には、当該一体型装置を構成する各装置の操作キーが備えられるため、非常に多くの操作キーが並べられることになり、当該操作部の操作性を低下させるという問題があった。そこで、ＤＶＤ／ＶＣＲ一体型装置を操作するための操作部において、ＤＶＤ再生装置とＶＣＲ装置とを切り換えるためのモード切替キーを設けるとともにＤＶＤ再生装置とＶＣＲ装置の操作キーを共通としたものが知られている（例えば、特許文献１）。
【０００３】
また、ＣＤプレーヤ付テープレコーダを操作するための操作部において、ＣＤプレーヤとテープレコーダとを選択するためのＣＤキー，テープキーを設けるとともに、ＣＤプレーヤとテープレコーダの操作キーを共通としたものも知られている（例えば、特許文献２）。
【特許文献１】特開２００２−６４７７６号公報
【特許文献２】実開平２−２６１８３号公報
【発明の開示】
【発明が解決しようとする課題】
【０００４】
ところで、テレビ受像装置とＤＶＤ再生装置とＶＣＲ装置とを一体型にした再生装置付テレビ受像装置を操作するための操作部では、ＤＶＤ再生装置，ＶＣＲ装置の操作キーに加えて、テレビのチャンネルキー等も備えられることとなるので、操作キーの数が多くなってしまい、ユーザにとって操作性が悪いという問題が生じる。
【０００５】
また、通常、例えば、５ボルト等の限られた電圧の間で、操作キー毎に入力される操作信号の電圧が割り振られるため、操作キーの数が多くなるほど、それぞれの操作信号の電圧差が微小になってしまい、マイコンにおいて入力される操作信号の電圧差が微小になるほど誤作動が生じやすくなってしまう。
【０００６】
そこで、マイコンにおいてそれぞれの操作キーが接続されるポートを別々に設けることが考えられるが、操作キーの数が多くなるほど、マイコンに設けられるポートが多くなり、コスト高となってしまうという問題が生じる。
【０００７】
このような問題に対して、特許文献１の発明は、チャンネルキー等の多くの操作キーを必要とするテレビ受像装置を一体型にしたものではなく、単に、ＤＶＤ再生装置とＶＣＲ再生装置の操作キーを共通としただけであるため、上記問題を解決することができない。また、同様に、特許文献２の発明も、単に、ＣＤプレーヤとテープレコーダの操作キーを共通としただけであるため、上記問題を解決することができない。
【０００８】
本発明の課題は、操作部の操作性を向上させるとともにマイコンに占めるポート数を低減できる再生装置付テレビ受像機を提供することである。
【課題を解決するための手段】
【０００９】
請求項１に記載の発明は、テレビ受像装置と、ＶＣＲ装置と、ＤＶＤ再生装置とが一体型に構成されてなる再生装置付テレビ受像機において、
ユーザの操作に応じて操作信号を出力する操作キーを備える操作部と、
前記操作部から入力される操作信号を受け付けて、当該操作信号に基づいて前記テレビ
受像装置と前記ＶＣＲ装置と前記ＤＶＤ再生装置とを制御する制御部と、を備え、
前記操作部は、
ユーザの操作に応じて、前記テレビ受像装置、前記ＶＣＲ装置、前記ＤＶＤ再生装置の中から、前記操作キーにより入力される操作信号に基づいて前記制御部が制御する装置を選択する選択信号を出力する選択キーを備え、
前記制御部は、
前記選択キーにより入力される選択信号を受け付けて、当該選択信号に基づいて制御する装置を判断する判断手段と、
一の操作キーの操作信号が入力された場合に、前記判断手段により判断された装置を制御するための制御信号を当該装置に出力する制御信号出力手段と、
を備え、
前記判断手段は、前記選択キーの押下回数に基づいて、前記操作キーにより入力される操作信号に基づいて制御する装置を判断することを特徴としている。
【００１０】
請求項２に記載の発明は、テレビ受像装置と、第１記録媒体再生装置と、第２記録媒体再生装置とが一体型に構成されてなる再生装置付テレビ受像機において、
ユーザの操作に応じて操作信号を出力する操作キーを備える操作部と、
前記操作部から入力される操作信号を受け付けて、当該操作信号に基づいて前記テレビ受像装置と前記第１記録媒体再生装置と前記第２記録媒体再生装置とを制御する制御部と、を備え、
前記操作部は、
ユーザの操作に応じて、前記テレビ受像装置、前記第１記録媒体装置、前記第２記録媒体再生装置の中から、前記操作キーにより入力される操作信号に基づいて前記制御部が制御する装置を選択する選択信号を出力する選択キーを備え、
前記制御部は、
前記選択キーにより入力される選択信号を受け付けて、当該選択信号に基づいて制御する装置を判断する判断手段と、
一の操作キーの操作信号が入力された場合に、前記判断手段により判断された装置を制御するための制御信号を当該装置に出力する制御信号出力手段と、
を備えることを特徴としている。
【００１１】
請求項３に記載の発明は、テレビ受像装置と、ＶＣＲ装置と、ＤＶＤ再生装置とが一体型に構成されてなる再生装置付テレビ受像機において、
ユーザの操作に応じて操作信号を出力する操作キーを備える操作部と、
前記操作部から入力される操作信号を受け付けて、当該操作信号に基づいて前記テレビ受像装置と前記ＶＣＲ装置と前記ＤＶＤ再生装置とを制御する制御部と、を備え、
前記操作部は、
ユーザの操作に応じて、前記テレビ受像装置、前記ＶＣＲ装置、前記ＤＶＤ再生装置の中から、前記操作キーにより入力される操作信号に基づいて前記制御部が制御する装置を選択する選択信号を出力する選択キーを備え、
前記制御部は、
前記選択キーにより入力される選択信号を受け付けて、当該選択信号に基づいて制御する装置を判断する判断手段と、
一の操作キーの操作信号が入力された場合に、前記判断手段により判断された装置を制御するための制御信号を当該装置に出力する制御信号出力手段と、
を備えることを特徴としている。
【００１２】
請求項４に記載の発明は、請求項２又は３に記載の再生装置付テレビ受像機において、
前記判断手段は、前記選択キーの押下回数に基づいて、前記操作キーにより入力される操作信号に基づいて制御する装置を判断することを特徴としている。
【００１３】
請求項５に記載の発明は、テレビ受像装置と、ＶＣＲ装置と、ＤＶＤ再生装置とが一体型に構成されてなる再生装置付テレビ受像機において、
ユーザの操作に応じて操作信号を出力する操作キーを備える操作部と、
前記操作部から入力される操作信号を受け付けて、当該操作信号に基づいて前記テレビ受像装置と前記ＶＣＲ装置と前記ＤＶＤ再生装置とを制御する制御部と、を備え、
前記制御部は、
前記テレビ受像装置、前記ＶＣＲ装置、前記ＤＶＤ再生装置の中から、前記操作キーにより入力される操作信号の長さに基づいて制御する装置を判断する判断手段と、
前記操作キーにより入力される操作信号に基づいて、前記判断手段により判断された装置を制御するための制御信号を当該装置に出力する制御信号出力手段と、
を備えることを特徴としている。
【発明の効果】
【００１４】
請求項１に記載の発明によれば、制御部により、操作部から入力される操作信号に基づいてテレビ受像装置とＶＣＲ装置とＤＶＤ再生装置とが制御され、判断手段により、選択キーにより入力される選択信号に基づいて制御される装置が判断され、一の操作キーの操作信号が入力された場合に、制御信号出力手段により、判断手段によって判断された装置を制御するための制御信号が当該装置に出力されるので、テレビ受像装置とＶＣＲ装置とＤＶＤ再生装置とを制御するための操作信号を入力する操作キーを共通とすることにより、操作キーの数を低減でき、操作部の操作性を向上させることができる。
【００１５】
また、テレビ受像装置とＶＣＲ装置とＤＶＤ再生装置とを制御するための操作信号を入力する操作キーを共通とすることにより、テレビ受像装置，ＶＣＲ装置，ＤＶＤ再生装置毎に設けられていた当該テレビ受像装置，ＶＣＲ装置，ＤＶＤ再生装置を制御するための操作信号を受け付けるマイコンなどの制御部のポートを一つにすることができることとなって、当該操作キーから入力される操作信号を受け付けるマイコンなどの制御部のポートの数も低減できる。
【００１６】
また、判断手段により、選択キーの押下回数に基づいて、操作キーにより入力される操作信号に基づいて制御される装置が判断されるので、操作部に備えられる選択キーを一つにすることができ、操作部に設けられるキーの数を更に低減できることとなり、操作部の操作性をより向上させることができる。
【００１７】
請求項２に記載の発明によれば、制御部により、操作部から入力される操作信号に基づいてテレビ受像装置と第１記録媒体再生装置と第２記録媒体再生装置とが制御され、判断手段により、選択キーにより入力される選択信号に基づいて制御される装置が判断され、一の操作キーの操作信号が入力された場合に、制御信号出力手段により、判断手段によって判断された装置を制御するための制御信号が当該装置に出力されるので、テレビ受像装置と第１記録媒体再生装置と第２記録媒体再生装置とを制御するための操作信号を入力する操作キーを共通とすることにより、操作キーの数を低減でき、操作部の操作性を向上させることができる。
【００１８】
また、テレビ受像装置と第１記録媒体再生装置と第２記録媒体再生装置とを制御するための操作信号を入力する操作キーを共通とすることにより、テレビ受像装置，第１記録媒体再生装置，第２記録媒体再生装置毎に設けられていた当該テレビ受像装置，第１記録媒体再生装置，第２記録媒体再生装置を制御するための操作信号を受け付けるマイコンなどの制御部のポートを一つにすることができることとなって、当該操作キーから入力される操作信号を受け付けるマイコンなどの制御部のポートの数も低減できる。
【００１９】
請求項３に記載の発明によれば、制御部により、操作部から入力される操作信号に基づいてテレビ受像装置とＶＣＲ装置とＤＶＤ再生装置とが制御され、判断手段により、選択キーにより入力される選択信号に基づいて制御される装置が判断され、一の操作キーの操
作信号が入力された場合に、制御信号出力手段により、判断手段によって判断された装置を制御するための制御信号が当該装置に出力されるので、テレビ受像装置とＶＣＲ装置とＤＶＤ再生装置とを制御するための操作信号を入力する操作キーを共通とすることにより、操作キーの数を低減でき、操作部の操作性を向上させることができる。
【００２０】
また、テレビ受像装置とＶＣＲ装置とＤＶＤ再生装置とを制御するための操作信号を入力する操作キーを共通とすることにより、テレビ受像装置，ＶＣＲ装置，ＤＶＤ再生装置毎に設けられていた当該テレビ受像装置，ＶＣＲ装置，ＤＶＤ再生装置を制御するための操作信号を受け付けるマイコンなどの制御部のポートを一つにすることができることとなって、当該操作キーから入力される操作信号を受け付けるマイコンなどの制御部のポートの数も低減できる。
【００２１】
請求項４に記載の発明によれば、請求項２又は３に記載の発明と同様の効果が得られるのは勿論のこと、特に、判断手段により、選択キーの押下回数に基づいて、操作キーにより入力される操作信号に基づいて制御される装置が判断されるので、操作部に備えられる選択キーを一つにすることができ、操作部に設けられるキーの数を更に低減できることとなり、操作部の操作性をより向上させることができる。
【００２２】
請求項５に記載の発明によれば、制御部により、操作部から入力される操作信号に基づいてテレビ受像装置とＶＣＲ装置とＤＶＤ再生装置とが制御され、判断手段により、操作キーにより入力される操作信号の長さに基づいて制御される装置が判断され、操作キーにより入力される操作信号に基づいて、制御信号出力手段により、判断手段によって判断された装置を制御するための制御信号が当該装置に出力されるので、操作部に、制御される装置を選択するための選択キーを設けなくても、制御される装置が判断されることとなるとともに、テレビ受像装置とＶＣＲ装置とＤＶＤ再生装置とを制御するための操作信号を入力する操作キーを共通とすることにより、操作キーの数を低減でき、操作部の操作性を向上させることができる。
【発明を実施するための最良の形態】
【００２３】
以下、図を参照して、本発明に係る再生装置付テレビ受像機を実施するための最良の形態を詳細に説明する。なお、本発明の範囲は図示例に限定されない。
（再生装置付テレビ受像機の構成）
まず、本実施の形態の構成を説明する。図１に、本発明に係る再生装置付テレビ受像機１０００の内部構成の要部を示す。また、図２に、本発明に係る再生装置付テレビ受像機１０００に備えられる操作部１の一例を示す。
【００２４】
本発明に係る再生装置付テレビ受像機１０００は、例えば、テレビ受像装置１００，第１記録媒体再生装置としてのＶＣＲ装置２００，第２記録媒体再生装置としてのＤＶＤ再生装置３００等が一体型に構成されてなる再生装置付テレビ受像機１０００であって、例えば、図１，図２に示すように、操作部１，テレビ／ＶＣＲ制御部２，ＤＶＤ制御部３，当該操作部１，テレビ／ＶＣＲ制御部２，ＤＶＤ制御部３に電流を供給する電源４等を備えて構成されている。
【００２５】
操作部１は、図２に示すように、例えば、再生装置付テレビ受像機１０００の電源４を投入するための電源キー１０，選択信号をテレビ／ＶＣＲ制御部２に出力する選択キーとしてのＳＥＬＥＣＴキー１１，操作信号をテレビ／ＶＣＲ制御部２に出力する操作キー１２等を備えて構成される。
【００２６】
また、操作部１は、テレビ／ＶＣＲ制御部２の一つのＩ／Ｏポート２３（図３参照）に接続されており、選択信号及び操作信号は、当該Ｉ／Ｏポート２３を介してテレビ／ＶＣＲ制御部２に出力されるようになっている。
【００２７】
また、図１に示すように、ＳＥＬＥＣＴキー１１及び操作キー１２は、例えば、スイッ
チＳ等を備えて構成されており、当該スイッチＳは並列接続されており、それぞれのスイッチＳの間には抵抗Ｒが設けられている。そして、それぞれのスイッチＳがＯＮとなることにより、それぞれのスイッチＳ毎に異なる電圧の選択信号及び操作信号がテレビ／ＶＣＲ制御部２に入力されるようになっている。また、それぞれのキーが長押しされると、対応するスイッチＳ毎に異なる電圧の信号が長押しされた時間だけテレビ／ＶＣＲ制御部２に入力されるようになっている。即ち、操作部１のキーが長押しされると、長い操作信号がテレビ／ＶＣＲ制御部２に入力されるようになっている。なお、それぞれのキーが押下されることによって入力される信号の電圧は、例えば、５ボルト等の限られた電圧の間で割り振られている。
【００２８】
ＳＥＬＥＣＴキー１１は、例えば、ユーザによって押下されることにより、テレビ受像装置１００，ＶＣＲ装置２００，ＤＶＤ再生装置３００の中から、操作キー１２押下により出力される操作信号に基づいて制御される装置を選択する選択信号をテレビ／ＶＣＲ制御部２に出力する。
【００２９】
操作キー１２には、例えば、ＶＣＲ−ＲＥＣキー１２Ａ，ＣＨ−ＵＰ／ＶＣＲ−ＦＷＤ／ＤＶＤ−ＦＷＤキー１２Ｂ，ＶＣＲ−ＰＬＡＹ／ＤＶＤ−ＰＬＡＹキー１２Ｃ，ＣＨ−ＤＷＮ／ＶＣＲ−ＲＥＷ／ＤＶＤ−ＲＥＷキー１２Ｄ，ＶＣＲ−ＳＴ・ＥＪ／ＤＶＤ−ＳＴ・ＥＪキー１２Ｅ等があり、当該操作キー１２がユーザによって押下されることにより、各種の操作信号がテレビ／ＶＣＲ制御部２に出力される。
【００３０】
ＶＣＲ−ＲＥＣキー１２Ａは、ユーザによって押下されることにより、ＶＣＲ装置２００に録画を行わせる操作信号をテレビ／ＶＣＲ制御部２に出力する。
【００３１】
ＣＨ−ＵＰ／ＶＣＲ−ＦＷＤ／ＤＶＤ−ＦＷＤキー１２Ｂは、ユーザによって押下されることにより、制御される装置としてテレビ受像装置１００が選択されている場合にはチャンネルアップを行わせる操作信号を、制御される装置としてＶＣＲ装置２００が選択されている場合にはビデオテープの早送りを行わせる操作信号を、制御される装置としてＤＶＤ再生装置３００が選択されている場合にはＤＶＤの早送りを行わせる操作信号を、それぞれ、テレビ／ＶＣＲ制御部２に出力する。
【００３２】
ＶＣＲ−ＰＬＡＹ／ＤＶＤ−ＰＬＡＹキー１２Ｃは、ユーザによって押下されることにより、制御される装置としてＶＣＲ装置２００が選択されている場合にはビデオテープの再生を行わせる操作信号を、制御される装置としてＤＶＤ再生装置３００が選択されている場合にはＤＶＤの再生を行わせる操作信号を、それぞれ、テレビ／ＶＣＲ制御部２に出力する。
【００３３】
ＣＨ−ＤＷＮ／ＶＣＲ−ＲＥＷ／ＤＶＤ−ＲＥＷキー１２Ｄは、ユーザによって押下されることにより、制御される装置としてテレビ受像装置１００が選択されている場合にはチャンネルダウンを行わせる操作信号を、制御される装置としてＶＣＲ装置２００が選択されている場合にはビデオテープの巻戻しを行わせる操作信号を、制御される装置としてＤＶＤ再生装置３００が選択されている場合にはＤＶＤの巻戻しを行わせる操作信号を、それぞれ、テレビ／ＶＣＲ制御部２に出力する。
【００３４】
ＶＣＲ−ＳＴ・ＥＪ／ＤＶＤ−ＳＴ・ＥＪキー１２Ｅは、ユーザによって押下されることにより、制御される装置としてＶＣＲ装置２００が選択されている場合にはビデオテープの停止・取出しを行わせる操作信号を、制御される装置としてＤＶＤ再生装置３００が選択されている場合にはＤＶＤの停止・取出しを行わせる操作信号を、それぞれ、テレビ／ＶＣＲ制御部２に出力する。
【００３５】
テレビ／ＶＣＲ制御部２は、例えば、図３に示すように、ＣＰＵ（Central  Processin
g  Unit）２０，ＲＡＭ（Random  Access  Memory）２１，記憶部２２、Ｉ／Ｏポート２
３等を備えて構成され、各部はバス２４により接続されている。
【００３６】
また、テレビ／ＶＣＲ制御部２は、例えば、図１に示すように、操作部１，ＤＶＤ制御部３等と接続されている。そして、ＣＰＵ２０が後述する判断プログラム２２Ａを実行することにより、テレビ受像装置１００又はＶＣＲ装置２００が制御される装置として判断された場合には、テレビ／ＶＣＲ制御部２は、操作部１から入力される操作信号に基づく制御信号をテレビ受像装置１００又はＶＣＲ装置２００に出力することにより制御し、制御部の一部として機能する。また、ＣＰＵ２０が後述する判断プログラム２２Ａを実行することにより、ＤＶＤ再生装置３００が制御される装置として判断された場合には、テレビ／ＶＣＲ制御部２は、操作部１から入力される操作信号をＤＶＤ制御部３に出力する。
【００３７】
ＣＰＵ２０は、記憶部２２に格納された処理プログラム等を読み出して、ＲＡＭ２１に展開して実行することにより、テレビ受像装置１００及びＶＣＲ装置２００全体の制御を行う。
【００３８】
ＲＡＭ２１は、ＣＰＵ２０により実行された処理プログラム等を、ＲＡＭ２１内のプログラム格納領域に展開するとともに、入力データや上記処理プログラムが実行される際に生じる処理結果等をデータ格納領域に格納する。
【００３９】
記憶部２２は、例えば、プログラムやデータ等が予め記憶されている記録媒体（図示せず）を有しており、この記録媒体は、例えば、半導体メモリ等で構成されている。また、記憶部２２は、ＣＰＵ２０がテレビ受像装置１００及びＶＣＲ装置２００全体を制御する機能を実現させるための各種データ，各種処理プログラム，これらプログラムの実行により処理されたデータ等を記憶する。より具体的には、記憶部２２は、例えば、図３に示すように、判断プログラム２２Ａ，テレビ装置制御プログラム２２Ｂ，ＶＣＲ装置制御プログラム２２Ｃ，操作信号出力プログラム２２Ｄ等を格納している。
【００４０】
判断プログラム２２Ａは、例えば、ＣＰＵ２０に、操作部１から入力される選択信号を受け付けて、当該選択信号に基づいて、制御する装置を判断する機能を実現させるプログラムである。より具体的には、判断プログラム２２Ａは、ＣＰＵ２０に、操作部１のＳＥＬＥＣＴキー１１の押下回数に基づく選択信号の入力回数に基づいて、制御する装置を判断する機能を実現させるプログラムである。また、判断プログラム２２Ａは、例えば、ＣＰＵ２０に、操作信号の長さに基づいて、制御する装置を判断する機能を実現させるプログラムである。ＣＰＵ２０は、かかる判断プログラム２２Ａを実行することにより、判断手段として機能する。
【００４１】
テレビ装置制御プログラム２２Ｂは、例えば、ＣＰＵ２０に、判断プログラム２２Ａを実行することにより、テレビ受像装置１００を制御する装置と判断した場合に、操作部１から入力される操作信号に基づく制御信号をテレビ受像装置１００に出力する機能を実現させるプログラムである。ＣＰＵ２０は、テレビ装置制御プログラム２２Ｂを実行することにより、制御信号出力手段の一部として機能する。
【００４２】
ＶＣＲ装置制御プログラム２２Ｃは、例えば、ＣＰＵ２０に、判断プログラム２２Ａを実行することにより、ＶＣＲ装置２００を制御する装置と判断した場合に、操作部１から入力される操作信号に基づく制御信号をＶＣＲ装置２００に出力する機能を実現させるプログラムである。ＣＰＵ２０は、ＶＣＲ装置制御プログラム２２Ｃを実行することにより、制御信号出力手段の一部として機能する。
【００４３】
操作信号出力プログラム２２Ｄは、例えば、ＣＰＵ２０に、判断プログラム２２Ａを実行することにより、ＤＶＤ再生装置３００を制御する装置と判断した場合に、操作部１か
ら入力される操作信号をＤＶＤ制御部３に出力する機能を実現させるプログラムである。
【００４４】
Ｉ／Ｏポート２３は、例えば、Ｉ／Ｏポート回路等を備えて構成されている。Ｉ／Ｏポート２３には、操作部１のキーが押下されることに伴う信号が入力される。また、Ｉ／Ｏポート２３を介して、テレビ／ＶＣＲ制御部２からテレビ受像装置１００及びＶＣＲ装置２００の各部を制御するための制御信号が出力されるとともに、ＤＶＤ再生装置３へ操作部１のキーが押下されることに伴う操作信号が出力される。
【００４５】
ＤＶＤ制御部３は、例えば、図４に示すように、ＣＰＵ３０，ＲＡＭ３１，記憶部３２、Ｉ／Ｏポート３３等を備えて構成され、各部は、バス３４により接続されている。
【００４６】
また、ＤＶＤ制御部３は、テレビ／ＶＣＲ制御部２と接続されており、操作部１から入力される操作信号をテレビ／ＶＣＲ制御部２を介して受け付け、当該操作信号に基づく制御信号をＤＶＤ再生装置３００に出力することにより制御し、制御部の一部として機能する。
【００４７】
ＣＰＵ３０は、記憶部３２に格納された処理プログラム等を読み出して、ＲＡＭ３１に展開して実行することにより、ＤＶＤ再生装置３００全体の制御を行う。
【００４８】
ＲＡＭ３１は、ＣＰＵ３０により実行された処理プログラム等を、ＲＡＭ３１内のプログラム格納領域に展開するとともに、入力データや上記処理プログラムが実行される際に生じる処理結果等をデータ格納領域に格納する。
【００４９】
記憶部３２は、例えば、プログラムやデータ等が予め記憶されている記録媒体（図示せず）を有しており、この記録媒体は、例えば、半導体メモリ等で構成されている。また、記憶部３２は、ＣＰＵ３０がテレビ受像装置１００及びＶＣＲ装置２００全体を制御する機能を実現させるための各種データ，各種処理プログラム，これらプログラムの実行により処理されたデータ等を記憶する。より具体的には、記憶部３２は、例えば、図３に示すように、ＤＶＤ再生装置制御プログラム３２Ａ等を格納している。
【００５０】
ＤＶＤ再生装置制御プログラム３２Ａは、例えば、ＣＰＵ３０に、テレビ／ＶＣＲ制御部２から操作信号が入力された際に、当該操作信号に基づく制御信号をＤＶＤ再生装置３００に出力する機能を実現させるプログラムである。ＣＰＵ３０は、かかるＤＶＤ再生装置制御プログラム３２Ａを実行することにより、制御信号出力手段の一部として機能する。
【００５１】
Ｉ／Ｏポート３３は、例えば、Ｉ／Ｏポート回路等を備えて構成されている。Ｉ／Ｏポート３３には、テレビ／ＶＣＲ制御部２から、操作部１のキーが押下されることに伴う操作信号が入力される。また、Ｉ／Ｏポート３３を介して、ＤＶＤ制御部３からＤＶＤ再生装置３の各部を制御するための制御信号が出力される。
（再生装置付テレビ受像機の動作）
次に、上述のような構成の再生装置付テレビ受像機１０００の動作について、図５〜図７を参照しながら説明する。
＜ＳＥＬＥＣＴキー押下に基づく制御する装置の切替動作＞
まず、再生装置付テレビ受像機１０００が、ＳＥＬＥＣＴキー１１が押下されることに基づいて制御する装置を切り替える動作について、図５に示すフローチャートを参照しながら説明する。
【００５２】
まず、テレビ／ＶＣＲ制御部２のＣＰＵ２０は、選択信号の入力の有無に基づいて、ＳＥＬＥＣＴキー１１が押下されたか否かを判断する（ステップＳ１）。
【００５３】
ステップＳ１において、ＣＰＵ２０が、ＳＥＬＥＣＴキー１１が押下されていないと判断した場合には（ステップＳ１；Ｎｏ）、ＣＰＵ２０は、ステップＳ１の処理を所定時間毎に繰り返す。
【００５４】
ステップＳ１において、ＣＰＵ２０が、ＳＥＬＥＣＴキー１１が押下されたと判断した場合には（ステップＳ１；Ｙｅｓ）、ＣＰＵ２０は、判断プログラム２２Ａを実行することにより、ＳＥＬＥＣＴキー１１の押下回数は３ｎ（ｎは整数）回か否かを判断する（ステップＳ２）。
【００５５】
ステップＳ２において、ＣＰＵ２０が、ＳＥＬＥＣＴキー１１の押下回数は３ｎ回であると判断した場合には（ステップＳ２；Ｙｅｓ）、ＣＰＵ２０は、制御する装置はテレビ受像装置１００であると判断し、当該判断結果をＲＡＭ２１に記憶させる（ステップＳ３）。
【００５６】
ステップＳ２において、ＣＰＵ２０が、ＳＥＬＥＣＴキー１１の押下回数は３ｎ回ではないと判断した場合には（ステップＳ２；Ｎｏ）、ＣＰＵ２０は、判断プログラム２２Ａに実行に基づいて、ＳＥＬＥＣＴキー１１の押下回数は３ｎ＋１回か否かを判断する（ステップＳ４）。
【００５７】
ステップＳ４において、ＣＰＵ２０が、ＳＥＬＥＣＴキー１１の押下回数は３ｎ＋１回であると判断した場合には（ステップＳ４；Ｙｅｓ）、ＣＰＵ２０は、制御する装置はＶＣＲ装置２００であると判断し、当該判断結果をＲＡＭ２１に記憶させる（ステップＳ５）。
【００５８】
ステップＳ４において、ＣＰＵ２０が、ＳＥＬＥＣＴキー１１の押下回数は３ｎ＋１回ではないと判断した場合、即ち、ＳＥＬＥＣＴキー１１の押下回数は３ｎ＋２回であると判断した場合には（ステップＳ４；Ｎｏ）、ＣＰＵ２０は、制御する装置はＤＶＤ再生装置３００であると判断し、当該判断結果をＲＡＭ２１に記憶させる（ステップＳ６）。
＜制御する装置が判断した後の制御動作＞
次に、上述のように、制御する装置を判断した場合に、再生装置付テレビ受像機１０００が、操作キー１２が押下されることにより入力される操作信号に基づいて各装置を制御する動作について、図６に示すフローチャートを参照しながら、説明する。
【００５９】
まず、操作部１の操作キー１２が押下されて、操作信号が入力されると（ステップＳ１０１）、ＣＰＵ２０は、ＲＡＭ２１を参照して、制御する装置はテレビ受像装置１００であるか否かを判断する（ステップＳ１０２）。
【００６０】
ステップＳ１０２において、ＣＰＵ２０が、制御する装置はテレビ受像装置１００であると判断した場合には（ステップＳ１０２；Ｙｅｓ）、ＣＰＵ２０は、テレビ装置制御プログラム２２Ｂを実行することにより、操作部１から入力される操作信号に基づく制御信号をテレビ受像装置１００に出力し、テレビ受像装置１００を制御する（ステップＳ１０３）。
【００６１】
ステップＳ１０２において、ＣＰＵ２０が、制御する装置はテレビ受像装置１００ではないと判断した場合には（ステップＳ１０２；Ｎｏ）、ＣＰＵ２０は、ＲＡＭ２１を参照して、制御する装置はＶＣＲ装置２００であるか否かを判断する（ステップＳ１０４）。
【００６２】
ステップＳ１０４において、ＣＰＵ２０が、制御する装置はＶＣＲ装置２００であると判断した場合には（ステップＳ１０４；Ｙｅｓ）、ＣＰＵ２０は、ＶＣＲ装置制御プログラム２２Ｃを実行することにより、操作部１から入力される操作信号に基づく制御信号をＶＣＲ装置２００に出力し、ＶＣＲ装置２００を制御する（ステップＳ１０５）。
【００６３】
ステップＳ１０４において、ＣＰＵ２０が、制御する装置はＶＣＲ装置２００ではないと判断した場合には（ステップＳ１０４；Ｎｏ）、ＣＰＵ２０は、操作信号出力プログラム２２Ｄを実行することにより、操作部１から入力される操作信号をＤＶＤ制御部３に出
力する（ステップＳ１０６）。
【００６４】
次に、ＤＶＤ制御部３のＣＰＵ３０は、テレビ／ＶＣＲ制御部２から操作信号が入力されると（ステップＳ１０７）、ＤＶＤ再生装置制御プログラム３２Ａを実行することにより、当該操作信号に基づく制御信号をＤＶＤ再生装置３００に出力し、ＤＶＤ再生装置３００を制御する（ステップＳ１０８）。
＜操作キーに基づく制御する装置の切替動作＞
次に、再生装置付テレビ受像機１０００が、操作キー１２が押下されることに基づいて制御する装置を切り替える動作について、図７に示すフローチャートを参照しながら説明する。ここでは、操作部１のＣＨ−ＵＰ／ＶＣＲ−ＦＷＤ／ＤＶＤ−ＦＷＤキー１２Ｂ又はＣＨ−ＤＷＮ／ＶＣＲ−ＲＥＷ／ＤＶＤ−ＲＥＷキー１２Ｄが押下されることに基づく、テレビ受像装置１００とＶＣＲ装置２００との間での切替動作を例に挙げて説明する。
【００６５】
まず、ユーザにより、例えば、操作部１のＣＨ−ＵＰ／ＶＣＲ−ＦＷＤ／ＤＶＤ−ＦＷＤキー１２Ｂ又はＣＨ−ＤＷＮ／ＶＣＲ−ＲＥＷ／ＤＶＤ−ＲＥＷキー１２Ｄ等の操作キー１２が押下されて、操作信号が入力されると（ステップＳ２０１）、テレビ／ＶＣＲ制御部２のＣＰＵ２０は、判断プログラム２２Ａを実行することにより、ユーザにより、例えば、操作部１のＣＨ−ＵＰ／ＶＣＲ−ＦＷＤ／ＤＶＤ−ＦＷＤキー１２Ｂ又はＣＨ−ＤＷＮ／ＶＣＲ−ＲＥＷ／ＤＶＤ−ＲＥＷキー１２Ｄ等の操作キー１２が長押しされて、長い操作信号が入力されたか否かを判断する（ステップＳ２０２）。
【００６６】
ステップＳ２０２において、ＣＰＵ２０が、長い操作信号が入力されたと判断した場合には（ステップＳ２０２；Ｙｅｓ）、ＣＰＵ２０は、制御する装置はＶＣＲ装置２００であると判断し、次いで、ＣＰＵ２０は、ＶＣＲ装置制御プログラム２２Ｃを実行することにより、ＶＣＲ装置２００にビデオテープの早送り又は巻戻しを行わせる（ステップＳ２０３）。
【００６７】
ステップＳ２０２において、ＣＰＵ２０が、短い操作信号が入力されたと判断した場合には（ステップＳ２０２；Ｎｏ）、ＣＰＵ２０は、制御する装置はテレビ受像装置１００であると判断し、次いで、ＣＰＵ２０は、テレビ装置制御プログラム２２Ｂを実行することにより、テレビ受像装置１００にチャンネルアップ又はチャンネルダウンを行わせる（ステップＳ２０４）。
【００６８】
以上に説明した、本発明に係る再生装置付テレビ受像機１０００によれば、テレビ／ＶＣＲ制御部２により、操作部１から入力される操作信号に基づいてテレビ受像装置１００とＶＣＲ装置２００とＤＶＤ再生装置３００とが制御され、ＣＰＵ２０が判断プログラム２２Ａを実行することにより、ＳＥＬＥＣＴキー１１により入力される選択信号に基づいて制御される装置が判断され、一の操作キー１２の操作信号が入力された場合に、ＣＰＵ２０がテレビ装置制御プログラム２２Ｂ又はＶＣＲ装置制御プログラム２２Ｃ又はＤＶＤ再生装置制御プログラム３２Ａを実行することにより、制御する装置と判断された装置を制御するための制御信号が当該装置に出力されるので、テレビ受像装置１００とＶＣＲ装置２００とＤＶＤ再生装置３００とを制御するための操作信号を入力する操作キー１２を共通とすることにより、操作キー１２の数を低減でき、操作部１の操作性を向上させることができる。
【００６９】
また、テレビ受像装置１００とＶＣＲ装置２００とＤＶＤ再生装置３００とを制御するための操作信号を入力する操作キー１２を共通とすることにより、テレビ受像装置１００，ＶＣＲ装置２００，ＤＶＤ再生装置３００毎に設けられていた当該テレビ受像装置１００，ＶＣＲ装置２００，ＤＶＤ再生装置３００を制御するための操作信号を受け付けるテレビ／ＶＣＲ制御部２のＩ／Ｏポート２３を一つにすることができることとなって、当該操作キー１２から入力される操作信号を受け付けるテレビ／ＶＣＲ制御部２のポートの数
も低減できる。
【００７０】
また、ＣＰＵ２０が判断プログラム２２Ａを実行することにより、ＳＥＬＥＣＴキー１１の押下回数に基づいて、操作キー１２により入力される操作信号に基づいて制御される装置が判断されるので、操作部１に備えられるＳＥＬＥＣＴキー１１を一つにすることができ、操作部１に設けられるキーの数を更に低減できることとなり、操作部１の操作性をより向上させることができる。
【００７１】
また、テレビ／ＶＣＲ制御部２により、操作部１から入力される操作信号に基づいてテレビ受像装置１００とＶＣＲ装置２００とＤＶＤ再生装置３００とが制御され、ＣＰＵ２０が判断プログラム２２Ａを実行することにより、操作キー１２により入力される操作信号の長さに基づいて制御される装置が判断され、操作キー１２により入力される操作信号に基づいて、ＣＰＵ２０がテレビ装置制御プログラム２２Ｂ又はＶＣＲ装置制御プログラム２２Ｃ又はＤＶＤ再生装置制御プログラム３２Ａを実行することにより、制御する装置と判断された装置を制御するための制御信号が当該装置に出力されるので、操作部１に、制御される装置を選択するためのＳＥＬＥＣＴキー１１を設けなくても、制御される装置が判断されることとなるとともに、テレビ受像装置１００とＶＣＲ装置２００とＤＶＤ再生装置３００とを制御するための操作信号を入力する操作キー１２を共通とすることにより、操作キー１２の数を低減でき、操作部１の操作性を向上させることができる。
【００７２】
なお、操作部１は、再生装置付テレビ受像機１０００の本体側に備えられることとしたが、リモコン等に備える構成であってもよい。また、ＤＶＤ再生装置３００を制御するＤＶＤ制御部３とテレビ受像装置１００及びＶＣＲ装置２００を制御するテレビ／ＶＣＲ制御部２とを別々に構成したが、まとめてひとつの制御部として構成されてもよい。
【００７３】
また、第１記録媒体再生装置としてＶＣＲ装置２００、第２記録媒体再生装置としてＤＶＤ再生装置３００を例示したが、これ以外に、例えば、ＣＤ再生装置、ＨＤ（Hard  Disc）再生装置などでもよく、また、再生機能のみならず録画・録音機能を具備した装置であってもよい。
【００７４】
また、図５のフローにおいて、テレビ／ＶＣＲ制御部２は、ＳＥＬＥＣＴキー１１の押下回数に基づいて、制御する装置が現在どの装置であるかを、再生装置付テレビ受像機１０００の表示画面にＯＳＤ（On  Screen  Display）表示するようにさせてもよい。これ
により、ユーザは、現在選択されている装置を容易に把握することができる。
【００７５】
また、図７のフローでは、操作キー１２の長押し時間に応じて、テレビ受像装置１００とＶＣＲ装置２００の切替を行うことを説明したが、長押し時間に応じて、制御する装置を、テレビ受像装置１００とＶＣＲ装置２００とＤＶＤ再生装置３００の何れかに切り替える構成であってもよい。
【図面の簡単な説明】
【００７６】
【図１】本発明に係る再生装置付テレビ受像機の構成を示す図である。
【図２】本発明に係る操作部の外部構成を示す図である。
【図３】本発明に係るテレビ／ＶＣＲ制御部の構成を示すブロック図である。
【図４】本発明に係るＤＶＤ制御部の構成を示すブロック図である。
【図５】本発明に係る再生装置付テレビ受像機の動作を説明するフローチャートである。
【図６】本発明に係る再生装置付テレビ受像機の動作を説明するためのフローチャートである。
【図７】本発明に係る再生装置付テレビ受像機の動作を説明するフローチャートである。
【符号の説明】
【００７７】
１  操作部
１１  選択キー
１２  操作キー
２  テレビ／ＶＣＲ制御部（制御部）
２０  ＣＰＵ（判断手段，制御信号出力手段）  
２２Ａ  判断プログラム（判断手段）
２２Ｂ  テレビ装置制御プログラム（制御信号出力手段）
２２Ｃ  ＶＣＲ装置制御プログラム（制御信号出力手段）
３  ＤＶＤ制御部（制御部）
３０  ＣＰＵ（制御信号出力手段）
３２Ａ  ＤＶＤ再生装置制御プログラム（制御信号出力手段）
１００  テレビ受像装置
２００  ＶＣＲ装置（第１記録媒体再生装置）
３００  ＤＶＤ再生装置（第２記録媒体再生装置）
１０００  再生装置付テレビ受像機
【図１】
2007049399.tif 000003
【図２】
2007049399.tif 000004
【図３】
2007049399.tif 000005
【図４】
2007049399.tif 000006
【図５】
2007049399.tif 000007
【図６】
2007049399.tif 000008
【図７】
2007049399.tif 000009